(57)【要約】【課題】インターネット上に人材を求める求人及び、仕事を求める求仕事の情報を蓄積させるデータベースを構築し、仕事の有・無の状況時に応じて登録するデータベースを使い分け、双方でデータベースを閲覧可能にし、仕事の有・無の状況時に発生する問題を解消する。【解決手段】上記のデータベース以外に人材募集情報を蓄積させる掲示板データベースを構築し、求人データベース登録済の閲覧端末は求仕事データベース登録データへの仕事依頼と、上記掲示板データベースに人材募集情報を登録しての募集、求仕事データベース登録済の閲覧端末は求人データベース登録済の閲覧端末が登録した上記掲示板データベースを閲覧して募集への応募ができる事により、仕事の有・無の両状況時に安定した仕事ができる。【選択図】図１
2010033522.tif 000002
【特許請求の範囲】
【請求項１】
ウェブサーバー内に人材を求める求人データベースと、仕事を求める求仕事データベースと、人材募集の広告を情報として蓄積させる掲示板データベースを構築し、ウェブページ内に銀行振込及びクレジットカードによる決済を行う決済部項目と、求人データベース及び求仕事データベースに登録を行う登録データベース項目と、構築した全てのデータベースの登録情報を閲覧する事ができる会員ページ項目を設置し、決済部項目から決済を行った後、登録データベース項目から求人データベース及び求仕事データベースへの登録をし、構築した全てのデータベースの登録情報を、会員ページ項目からキーワード検索して閲覧する事を可能とし、会員ページ内において求人データベース登録済の閲覧端末からは、求仕事データベース登録データへの仕事依頼・掲示板データベースを利用しての人材募集、求仕事データベース登録済の閲覧端末からは、求人データベース登録済の閲覧端末からの仕事依頼への回答・求人データベース登録済の閲覧端末から掲示板データベースに登録された人材募集情報への応募が、電子メールを利用してやりとりする事ができるインターネット情報システム。
【請求項２】
請求項１に記載する、電子メールを利用してやりとりする事ができるシステム内で、求人データベース及び求仕事データベース登録済の閲覧端末が要望に沿う情報を見つけた際、求人データベース登録済の閲覧端末は仕事依頼、求仕事データベース登録済の閲覧端末は人材募集情報に応募する時に電子メール送信機能を利用するが、この時に電子メール専用のページを表示させ、そのページを表示するプログラムに、送信先の電子メールアドレス情報を表示させずに電子メールアドレスを電子メール専用のページに自動で埋め込むプログラミングを施し、送信先の電子メールアドレスを公表せずに電子メール送信機能が利用できるインターネット情報システム。
【請求項３】
請求項２に記載する、電子メール送信機能を利用する際、請求項２に記載する、電子メール専用のページに、送信機能を利用する求人データベース及び求仕事データベース登録済の閲覧端末の、求人データベース及び求仕事データベース登録データの登録情報を自動で埋め込むプログラミングを施す事により、受信端末はその登録情報を含めたメッセージを受信する事ができ、上記送信機能を利用する閲覧端末は、受信端末に伝えるメッセージの入力内容を最小限にする事ができるインターネット情報システム。
【請求項４】
請求項１に記載する、人材を求める状況及び仕事を求める状況、その状況時に応じて登録するデータベースを求人データベースか求仕事データベース、あるいは両状況時への迅速な対応策として、求人データベース及び求仕事データベースの両方を選択して登録する事ができるインターネット情報システム。
【請求項５】
請求項１に記載する、求人データベース及び求仕事データベースに登録される登録データに拠点地域データを登録するが、個人情報の保護を考え市区町村データまでの登録とし、主に求人データベース登録済の閲覧端末が目的の求仕事データベースの登録データをインターネットから検索する際、仕事をする現場がある場合はその近隣の登録データを探し出す事ができるインターネット情報システム。
【請求項６】
請求項１に記載する、求人データベース及び求仕事データベースに登録される登録データに拠点地域データを登録するが、仕事をする場所が求人データベース登録済の閲覧端末が指定する場所の場なので、仕事をする場所は求仕事データベースに仕事だけを求めて登録した登録データ自身が持ち、求人データベース登録済の閲覧端末が仕事だけを依頼したい場合は、求仕事データベースの登録情報である普段から行っている主な仕事内容データ（職種）をもとにキーワード検索し、目的に合った登録データを探し出す事ができるインターネット情報システム。
【請求項７】
請求項１に記載する、会員ページ内のやりとりを、より目的どおりに効率よくビジネスとして提供するために、まずは第１の手順として求人データベース及び求仕事データベースへの登録前に、請求項１に記載する、決済部から銀行振込またはクレジットカードによる決済を行い、求人データベース及び求仕事データベース登録を行う入力ページに接続するためのパスワードを、求人用・求仕事用それぞれ目的別に発行し、第２の手順としてその発行したパスワードを使って請求項１に記載する、登録データベース項目から認証を行い、決済が完了している端末かを識別して入力ページに接続し、入力ページ内に入力指定のある内容を入力完了後、会員ページ内閲覧用のパスワードを、求人用・求仕事用それぞれ目的別に発行し、第３の手順としてその発行したパスワードを使って請求項１に記載する、会員ページ項目から認証を行い、求人データベース及び求仕事データベースに正式に登録している端末かを識別して会員ページ内に接続するという流れになるが、求人データベース及び求仕事データベースへの登録前に決済を行う事により、ウェブページの目的以外の閲覧端末による登録を防止し、また上記のように求人データベース及び求仕事データベースへの登録前と、会員ページ内への接続前にそれぞれ異なる認証のパスワードを設けている事、さらには上記の全てのパスワードを毎月変更する事により、データベースに未登録の求人希望及び求仕事希望の閲覧端末、並びにすでに求人データベース及び求仕事データベースに登録済みの登録データから効率よく情報提供料を受ける事ができるインターネット情報システム。
【請求項８】
請求項７に記載する、求人データベース及び求仕事データベースへの登録前に発行するパスワードを、求人希望及び求仕事希望の閲覧端末に通知する方法として、銀行振込の場合はウェブページ管理部から、クレジットカード決済の場合はクレジットカード決済代行会社から電子メールで通知し、請求項７に記載する、会員ページ内に接続するためのパスワードの通知方法は、求人データベース及び求仕事データベースへの登録が完了した時点で、求人データベース及び求仕事データベース登録希望の閲覧端末に表示させる方法と、同様に登録が完了した時点でウェブページ管理部から自動で電子メール送信機能が働く二通りの方法で通知し、また毎月変更する会員ページ内に接続するためのパスワードの通知方法は、求人データベース及び求仕事データベース登録済の閲覧端末に対し、変更したパスワードをウェブページ管理部から一斉送信機能を持った電子メールを利用して通知する事により、効率よくパスワードの通知ができるインターネット情報システム。
【請求項９】
請求項５・請求項６に記載する、求人データベース登録済の閲覧端末が目的の求仕事データベースの登録データをインターネットから検索する際、その検索結果をランダムに表示させる事により、求仕事データベースに登録している全ての登録データが、仕事依頼をより確実にできるインターネット情報システム。
【請求項１０】
請求項１に記載する、求人データベース及び求仕事データベースへの登録データ内に、仕事後の互いの評価データを登録するプログラムミングを施し、求人データベース及び求仕事データベース登録済の閲覧端末が仕事後に互いの評価を登録し、その評価データの内容を全ての求人データベース及び求仕事データベース登録済の閲覧端末から閲覧できる事により、求人データベース登録済の閲覧端末は求仕事データベース登録データに仕事を依頼する時の判断基準、求仕事データベース登録済の閲覧端末は請求項１に記載する、求人データベース登録済の閲覧端末からの仕事依頼への回答時、求人データベース登録済の閲覧端末から掲示板データベースに登録された人材募集情報に応募する時の判断基準にできるインターネット情報システム。
【請求項１１】
請求項４に記載する、求人データベース及び求仕事データベースに両方登録ができるという特徴があるゆえに、請求項１０に記載する、登録データ内の評価データを求人データベース及び求仕事データベース、逆の立場のデータベース登録済の閲覧端末から自身の登録データ内の評価データを操作する事が可能となる問題が発生するが、請求項１０に記載する、求人データベース及び求仕事データベースへの登録データ内に、評価履歴を登録するプログラムミングを施し、評価を登録する閲覧端末が評価を登録したと同時に、評価を受けた登録データ内の評価履歴に、評価を登録した閲覧端末が求人データベース及び求仕事データベースに登録している登録データ内の登録情報と、評価を登録した日時を自動的に登録し、その評価履歴を全ての求人データベース及び求仕事データベース登録済の閲覧端末から閲覧できる事により、不正に上記登録データ内の評価データを操作する事を防ぎ、請求項１０に記載する、判断基準に加える事ができるインターネット情報システム。
【請求項１２】
請求項１に記載する、求人データベース登録済の閲覧端末が掲示板データベースに人材募集情報を登録した際、求仕事データベース登録データの登録情報である、普段から行っている主な仕事内容データ（職種）・拠点地域データに、人材募集情報と同じ文字列を含む求仕事データベース登録済の閲覧端末に対し、自動による電子メール送信機能で募集内容を伝える事により、掲示板データベース内に、電子メールを受信した求仕事データベース登録済の閲覧端末の求仕事データベース登録データと関係のある人材募集情報が登録された事を知らせ、届いたメールに記載した、掲示板データベースに人材募集情報の登録を行った求人データベース登録済の閲覧端末の求人データベース登録データの登録情報である、氏名及び法人名データで掲示板データベース内を検索でき、求仕事データベース登録済の閲覧端末が、募集の情報を探すために要する閲覧時間を短縮して応募する事ができるインターネット情報システム。
【請求項１３】
請求項１に記載する、求人データベース登録済の閲覧端末が人材募集情報を登録する掲示板データベースに、募集する日あるいは募集する期間のデータを登録する事により、求仕事データベース登録済の閲覧端末は上記データをもとに検索し、自身のスケジュールに合わせて応募する事ができるインターネット情報システム。
【請求項１４】
請求項１に記載する、求人データベース登録済の閲覧端末が人材募集情報を登録する掲示板データベース内を、求仕事データベース登録済の閲覧端末が閲覧時、要望に沿う募集情報が見つかり、募集の登録をした求人データベース登録済の閲覧端末の求人データベース登録データ内を、請求項１０・請求項１１に記載する、応募するための判断基準として閲覧したい場合、募集情報に表示している氏名データあるいは法人名データを選択する事により、請求項１に記載する、データベース内をキーワード検索して目的の登録情報を探し出す手間をかけずに、募集の登録をした求人データベース登録データの登録情報に直接移動して閲覧する事ができ、掲示板データベース内の閲覧時間を短縮して人材募集情報を探し出す事ができるインターネット情報システム。
【発明の詳細な説明】
【技術分野】
【０００１】本発明は、仕事の繁忙期に起こる人材不足及び、仕事不足の問題を救済するシステムに関する。また本発明は、ウェブページを利用する同一の閲覧端末が、人材不足及び仕事不足の両状況時に対応するシステムに関する。
【背景技術】
【０００２】本発明と比較的類似している求人・求職システムから考えると、従来のシステムはウェブサーバー内に求人側と求職者側のデータベースを構築し、求人側データベースに求人企業の募集情報や企業情報、求職者側データベースに求職者の個人情報を蓄積させ、求職者側が求人側情報を閲覧し、希望の企業に応募できるシステムを採用している。また最近では、求人側も求職者のキャリア等を閲覧する事ができ、互いの条件に見合った就職・採用活動ができる高度なシステムも存在している。
【発明の開示】
【発明が解決しようとする課題】
【０００３】しかしながら従来のシステムは、求人側の立場の求人企業は人材を求め、求職者側の立場の個人は雇用を求めるという特徴があるゆえ、利用者はどちらか一方の立場で人材を探す事、あるいは職を探す事でのメリットしか受けられなかった。また求人企業よりも求職者の方の比率が高いため、必ずしも多くの求職者がシステムのメリットを受けられるとは限らなかった。【０００４】ここで請求項に示すシステム、後記の本発明を詳細に説明するために「職人」と言われる人たちを定義して説明する。「職人」とは、手先の技術によって物を製作する事を職業とする人たちの事で、特殊な技術のスペシャリストゆえに、独立しても企業内においても貴重な存在となっている。しかしながらその反面、高水準な賃金が要求されるため、仕事の有・無が社会の状況変化によって敏感に左右されるという問題があった。
【課題を解決するための手段】
【０００５】本発明は、ウェブサーバー内に人材を求める求人データベースと、仕事を求める求仕事データベースと、人材募集の広告を情報として蓄積させる掲示板データベースを構築し、ウェブページ内に銀行振込及びクレジットカードによる決済を行う決済部項目と、求人データベース及び求仕事データベースに登録を行う登録データベース項目と、構築した全てのデータベースの登録情報を閲覧する事ができる会員ページ項目を設置し、決済部項目から決済を行った後、登録データベース項目から求人データベース及び求仕事データベースへの登録をし、構築した全てのデータベースの登録情報を、会員ページ項目からキーワード検索して閲覧する事を可能とし、会員ページ内において求人データベース登録済の閲覧端末からは、求仕事データベース登録データへの仕事依頼・掲示板データベースを利用しての人材募集、求仕事データベース登録済の閲覧端末からは、求人データベース登録済の閲覧端末からの仕事依頼への回答・求人データベース登録済の閲覧端末から掲示板データベースに登録された人材募集情報への応募が、電子メールを利用してやりとりする事ができる、インターネット情報システムを提供するものである。【０００６】本発明は、電子メールを利用してやりとりする事ができるシステム内で、求人データベース及び求仕事データベース登録済の閲覧端末が要望に沿う情報を見つけた際、求人データベース登録済の閲覧端末は仕事依頼、求仕事データベース登録済の閲覧端末は人材募集情報に応募する時に電子メール送信機能を利用するが、この時に電子メール専用のページを表示させ、そのページを表示するプログラムに、送信先の電子メールアドレス情報を表示させずに電子メールアドレスを電子メール専用のページに自動で埋め込むプログラミングを施し、送信先の電子メールアドレスを公表せずに電子メール送信機能が利用できる、インターネット情報システムを提供するものである。【０００７】本発明は、電子メール送信機能を利用する際、電子メール専用のページに、送信機能を利用する求人データベース及び求仕事データベース登録済の閲覧端末の、求人データベース及び求仕事データベース登録データの登録情報を自動で埋め込むプログラミングを施す事により、受信端末はその登録情報を含めたメッセージを受信する事ができ、上記送信機能を利用する閲覧端末は、受信端末に伝えるメッセージの入力内容を最小限にする事ができる、インターネット情報システムを提供するものである。【０００８】本発明は、人材を求める状況及び仕事を求める状況、その状況時に応じて登録するデータベースを求人データベースか求仕事データベース、あるいは両状況時への迅速な対応策として、求人データベース及び求仕事データベースの両方を選択して登録する事ができる、インターネット情報システムを提供するものである。【０００９】本発明は、求人データベース及び求仕事データベースに登録される登録データに拠点地域データを登録するが、個人情報の保護を考え市区町村データまでの登録とし、主に求人データベース登録済の閲覧端末が目的の求仕事データベースの登録データをインターネットから検索する際、仕事をする現場がある場合はその近隣の登録データを探し出す事ができる、インターネット情報システムを提供するものである。【００１０】本発明は、求人データベース及び求仕事データベースに登録される登録データに拠点地域データを登録するが、仕事をする場所が求人データベース登録済の閲覧端末が指定する場所の場なので、仕事をする場所は求仕事データベースに仕事だけを求めて登録した登録データ自身が持ち、求人データベース登録済の閲覧端末が仕事だけを依頼したい場合は、求仕事データベースの登録情報である普段から行っている主な仕事内容データ（職種）をもとにキーワード検索し、目的に合った登録データを探し出す事ができる、インターネット情報システムを提供するものである。【００１１】本発明は、求人データベース登録済の閲覧端末が目的の求仕事データベースの登録データをインターネットから検索する際、その検索結果をランダムに表示させる事により、求仕事データベースに登録している全ての登録データが、仕事依頼をより確実にできる、インターネット情報システムを提供するものである。【００１２】本発明は、求人データベース及び求仕事データベースへの登録データ内に、仕事後の互いの評価データを登録するプログラムミングを施し、求人データベース及び求仕事データベース登録済の閲覧端末が仕事後に互いの評価を登録し、その評価データの内容を全ての求人データベース及び求仕事データベース登録済の閲覧端末から閲覧できる事により、求人データベース登録済の閲覧端末は求仕事データベース登録データに仕事を依頼する時の判断基準、求仕事データベース登録済の閲覧端末は求人データベース登録済の閲覧端末からの仕事依頼への回答時、求人データベース登録済の閲覧端末から掲示板データベースに登録された人材募集情報に応募する時の判断基準にできる、インターネット情報システムを提供するものである。【００１３】本発明は、求人データベース及び求仕事データベースに両方登録ができるという特徴があるゆえに、登録データ内の評価データを求人データベース及び求仕事データベース、逆の立場のデータベース登録済の閲覧端末から自身の登録データ内の評価データを操作する事が可能となる問題が発生するが、求人データベース及び求仕事データベースへの登録データ内に、評価履歴を登録するプログラムミングを施し、評価を登録する閲覧端末が評価を登録したと同時に、評価を受けた登録データ内の評価履歴に、評価を登録した閲覧端末が求人データベース及び求仕事データベースに登録している登録データ内の登録情報と、評価を登録した日時を自動的に登録し、その評価履歴を全ての求人データベース及び求仕事データベース登録済の閲覧端末から閲覧できる事により、不正に上記登録データ内の評価データを操作する事を防ぎ、上記を求人データベース登録済の閲覧端末は求仕事データベース登録データに仕事を依頼する時、求仕事データベース登録済の閲覧端末は求人データベース登録済の閲覧端末からの仕事依頼への回答時、求人データベース登録済の閲覧端末から掲示板データベースに登録された人材募集情報に応募する時の判断基準に加える事ができる、インターネット情報システムを提供するものである。【００１４】本発明は、求人データベース登録済の閲覧端末が掲示板データベースに人材募集情報を登録した際、求仕事データベース登録データの登録情報である、普段から行っている主な仕事内容データ（職種）・拠点地域データに、人材募集情報と同じ文字列を含む求仕事データベース登録済の閲覧端末に対し、自動による電子メール送信機能で募集内容を伝える事により、掲示板データベース内に、電子メールを受信した求仕事データベース登録済の閲覧端末の求仕事データベース登録データと関係のある人材募集情報が登録された事を知らせ、届いたメールに記載した、掲示板データベースに人材募集情報の登録を行った求人データベース登録済の閲覧端末の求人データベース登録データの登録情報である、氏名及び法人名データで掲示板データベース内を検索でき、求仕事データベース登録済の閲覧端末が、募集の情報を探すために要する閲覧時間を短縮して応募する事ができる、インターネット情報システムを提供するものである。【００１５】本発明は、求人データベース登録済の閲覧端末が人材募集情報を登録する掲示板データベースに、募集する日あるいは募集する期間のデータを登録する事により、求仕事データベース登録済の閲覧端末は上記データをもとに検索し、自身のスケジュールに合わせて応募する事ができる、インターネット情報システムを提供するものである。【００１６】本発明は、求人データベース登録済の閲覧端末が人材募集情報を登録する掲示板データベース内を、求仕事データベース登録済の閲覧端末が閲覧時、要望に沿う募集情報が見つかり、募集の登録をした求人データベース登録済の閲覧端末の求人データベース登録データ内を、応募するための判断基準として閲覧したい場合、募集情報に表示している氏名データあるいは法人名データを選択する事により、データベース内をキーワード検索して目的の登録情報を探し出す手間をかけずに、募集の登録をした求人データベース登録データの登録情報に直接移動して閲覧する事ができ、掲示板データベース内の閲覧時間を短縮して人材募集情報を探し出す事ができる、インターネット情報システムを提供するものである。
【発明の効果】
【００１７】職人と言われる人たちの現状の仕事は年間を通して考えた場合、有る時と無い時との偏りがある。この問題を仕事の有・無の状況時に応じて求人データベース及び求仕事データベース、登録するデータベースを使い分ける事により、仕事の有・無の状況時に起こる問題が解消できる。また本発明のシステムを利用する事により、理想と考えていた仕事のやり方を実現できる仕事、さらには将来的に仕事のつながりが持てる仲間を無限に増やす事ができる。
【発明を実施するための最良の形態】
【００１８】以下、本発明に係るインターネットを利用した情報システムの実施形態を図１に基づき詳細に説明する。まずウェブページ６とは、本発明のシステムをインターネット１０に接続している求人希望の閲覧端末１１及び、求仕事希望の閲覧端末１２の画面上に表示させる、決済部７内・登録データベース８内・会員ページ９内の、リンク先も含めた全てのページである事を示し、これを前記並びに後記のウェブページの説明として定義する。【００１９】また図３と図４に下線で示しているパスワード２１と３１とは、図１のウェブページ６内に示す登録データベース８内及び、会員ページ９内の閲覧を、決済が完了した閲覧端末に限定するために決済が完了した閲覧端末に発行する半角英数字の文字列であり、これを前記並びに後記のパスワードの説明として定義する。【００２０】１はウェブサーバーであり、データベース部２に求人を希望する企業または個人の求人希望の閲覧端末１１が登録する情報を蓄積させる求人データベース３と、仕事の依頼を希望する企業または個人の求仕事希望の閲覧端末１２が登録する情報を蓄積させる求仕事データベース５と、求人希望の閲覧端末１１が希望に応じて人材募集の広告を情報として蓄積させる掲示板データベース４を構築するシステムである。【００２１】ウェブサーバー１内の本発明の情報システムを、求人希望の閲覧端末１１と、求仕事希望の閲覧端末１２から、インターネット１０を介して利用する事ができる。【００２２】図１に示すウェブページ６内の決済部７の部分を、図２に基づき詳細に説明する。まず図２内に示しているクレジットカード決済代行会社１６とは、クレジットカード会社とは直接契約する事のできない実績のない法人または個人に対し、ビジネス上においてクレジットカード決済を採用したい場合に、クレジットカード会社との間を仲介して決済の代行を行う会社であり、これを前記並びに後記のクレジットカード決済代行会社の説明として定義する。【００２３】図２は、図１の求人データベース３及び求仕事データベース５への登録前の決済及び、データベースに登録を行う入力ページに接続するためのパスワードを、図２のそれぞれの目的を持った閲覧端末１３の、求人希望及び求仕事希望の閲覧端末に通知するまでの流れを示している。以降の説明は、図１に示す求人希望の閲覧端末１１及び求仕事希望の閲覧端末１２が、インターネット１０を利用してウェブページ６のトップページに接続されている事を前提とする。【００２４】まずＳ１で図１の決済部７を選択し、図２の決済ページ初期画面１４を表示させる。Ｓ２で求人または求仕事どちらでの登録を希望するかを選択し、情報入力ページ１５を表示させる。Ｓ３で拠点地域データ・氏名及び法人名データ・電子メールアドレスを入力し、銀行振込またはクレジットカード決済、どちらかの決済方法を選択する。Ｓ３で銀行振込を選択した場合はＳ４で、Ｓ３で入力があった電子メールアドレスにウェブページ管理部１７の振込口座を通知する。Ｓ３でクレジットカード決済を選択した場合はＳ４で自動的にクレジットカード決済代行会社１６の決済ページに接続し、クレジットカード情報を入力して決済する。Ｓ５で銀行振込の場合は入金が確認されしだいウェブページ管理部１７から、クレジットカード決済の場合は決済直後にクレジットカード決済代行会社１６から、図３のデータベースに登録を行う入力ページに接続するためのパスワード２１を、求人用・求仕事用それぞれ目的別に、図２のそれぞれの目的を持った閲覧端末１３に電子メールで通知する。【００２５】図１に示すウェブページ６内の登録データベース８内を、図３に基づき詳細に説明する。図３は図１の求人データベース３及び求仕事データベース５への登録及び、図４の会員ページ内閲覧用のパスワード３１を、図３のそれぞれの目的を持った閲覧端末１８の、求人データベース及び求仕事データベース登録希望の閲覧端末に通知するまでの流れを示している。【００２６】まずＳ１で図１の登録データベース８を選択し、図３のデータベースへの登録ページ初期画面１９を表示させる。Ｓ２で求人データベースまたは求仕事データベース、どちらで登録するか（図２で決済をした方）を選択する。Ｓ３で図２の決済完了後に発行した、図３のデータベース登録を行う入力ページに接続するためのパスワード２１を求人用・求仕事用それぞれ目的別に入力し、発行したパスワード２１と合致した時、データベースへの登録を行う入力ページを表示する。入力ページが表示されたらＳ４でそれぞれの目的を持った閲覧端末１８から、氏名及び法人名データ・拠点地域データ・普段から行っている主な仕事内容データ・電子メールアドレスを入力。それぞれの目的を持った閲覧端末１８内の求仕事データベース登録希望の閲覧端末は、上記の入力内容に自己ＰＲデータの入力を加える。入力完了後、目的のデータベースへの登録が完了し、Ｓ５でそれぞれの目的を持った閲覧端末１８に図４の会員ページ内閲覧用のパスワード３１を求人用・求仕事用それぞれ目的別に発行し、図３のウェブページ管理部２０からそれぞれの目的を持った閲覧端末１８に電子メールで通知する。【００２７】図１に示すウェブページ６内の会員ページ９内と、データベース部２内の掲示板データベース４の部分を図４に基づき詳細に説明する。会員ページ２３とは、図２で説明した決済を完了させ、図３で説明した求人データベース及び求仕事データベースに登録が完了している図４の求人データベース登録済の閲覧端末３３及び求仕事データベース登録済の閲覧端末３２が、本発明のメリットを実感できる主なサービスの内容が集約されたページであり、これを前記並びに後記の会員ページの説明として定義する。図４は上記の会員ページ２３内で利用できるサービスを詳細に示している。【００２８】求人データベース登録済の閲覧端末３３及び求仕事データベース登録済の閲覧端末３２が会員ページ２３内を閲覧したい場合、Ｓ１で図１の会員ページ９を選択し、図３のＳ５でデータベースへの登録完了後に発行した図４の会員ページ閲覧用のパスワード３１を、求人用・求仕事用それぞれ目的別に入力し、Ｓ２で発行したパスワード３１と合致した時、会員ページ２３内に接続し閲覧する事ができる。【００２９】以降は図４と図５に基づき、会員ページ２３内を詳細に説明する。まず求人データベース登録済の閲覧端末から求仕事データベース内の登録データの検索２６は、求仕事データベース３０に登録されている登録データの登録情報である、拠点地域データ・普段から行っている主な仕事内容データ（職種）をキーワードにして検索し、要望に沿う登録データを見つけた際、電子メールを利用して仕事を依頼する。上記の検索結果を、順不同のランダム表示にする事で求仕事データベース登録データは、いつ登録が行われていても求人データベース登録済の閲覧端末３３が検索する検索結果の先頭付近に表示される機会が生まれ、データベースへの登録が早い遅いによる有利・不利を解消し、仕事依頼をより確実にするシステムを採用している。【００３０】求人データベース登録済の閲覧端末から求仕事データベース登録データへの仕事後の評価部２８と、求仕事データベース登録済の閲覧端末から求人データベース登録データへの仕事後の評価部２９は、求人データベース２２及び求仕事データベース３０から互いの登録データを検索で呼び出し、４段階のレベルの中から１つ、相手の評価に相当するレベルを選択し、仕事が終了後の評価をし合う。さらにその評価データ内に評価履歴を設け、評価を登録した閲覧端末が評価を登録したと同時に、求人データベース２２及び求仕事データベース３０に登録している登録データ内の登録情報と、評価を登録した日時を自動的に登録する。上記の評価データ・評価履歴の内容を全ての求人データベース登録済の閲覧端末３３及び求仕事データベース登録済の閲覧端末３２が閲覧でき、求人データベース登録済の閲覧端末３３は、少しでも良い仕事をしてくれる求仕事データベース登録データを探す判断基準に、求仕事データベース登録済の閲覧端末３２は、少しでも良い待遇の求人データベース登録データの仕事依頼を受けるための判断基準にできる。【００３１】募集内容の電子メール自動送信機能２５は、Ｓ３で求人データベース登録済の閲覧端末３３が人材募集情報を掲示板データベース２４に、図５の募集地域データあるいは求人データベース登録済の閲覧端末の拠点地域データ３４・募集日あるいは募集期間データ３６・人材募集情報を掲示板データベースに登録する求人データベース登録済の閲覧端末の氏名データあるいは法人名データ３８・募集職種データ３５・募集内容を登録し、登録が完了したと同時に、図４のＳ４で求仕事データベース登録データの登録情報である、拠点地域データ・普段から行っている主な仕事内容データの情報と合致する求仕事データベース登録済の閲覧端末３２に対し、募集内容の自動電子メール送信機能が働くシステムを採用している。【００３２】図５は、図４の掲示板データベース２４を閲覧時の実際の表示例である。図５の募集日あるいは募集期間データ３６は、図４の掲示板データベース２４への登録時に求人データベース登録済の閲覧端末３３が入力する情報である。これを求仕事データベース登録済の閲覧端末３２が上記データをもとに検索し、自身のスケジュールに合わせて図５の応募機能３７を選択して応募する事ができる。【００３３】人材募集情報を掲示板データベースに登録する求人データベース登録済の閲覧端末の氏名データあるいは法人名データ３８は、主に図４の求仕事データベース登録済の閲覧端末３２が掲示板データベース２４を閲覧時、応募の判断基準にするために人材募集情報を掲示板データベース２４に登録した求人データベース登録データの登録情報を閲覧したい時に選択する。選択すると、人材募集情報を登録した求人データベース登録データの登録情報に直接移動して閲覧する事ができ、求仕事データベース登録済の閲覧端末から求人データベース内の登録データの検索２７と同様の行程で求人データベース登録データの登録情報を閲覧する手間を省く事により、求仕事データベース登録済の閲覧端末３２は、人材募集情報の閲覧時間を短縮する事ができる。
【図面の簡単な説明】
【００３４】
【図１】本発明に係るインターネットを利用した情報システムの実施形態の概略図。
【図２】データベース登録前の決済の流れを示した詳細図
【図３】データベースへの登録の流れを示した詳細図
【図４】本発明の主なサービスである会員ページの詳細図
【図５】人材募集掲示板の表示例の詳細図
【符号の説明】
【００３５】１  ウェブサーバー
２  データベース部
３  求人データベース
４  掲示板データベース
５  求仕事データベース
６  ウェブページ
７  決済部
８  登録データベース
９  会員ページ
１０  インターネット
１１  求人希望の閲覧端末
１２  求仕事希望の閲覧端末
１３  それぞれの目的を持った閲覧端末
１４  決済ページ初期画面
１５  情報入力ページ
１６  クレジットカード決済代行会社
１７  ウェブページ管理部
１８  それぞれの目的を持った閲覧端末
１９  データベースへの登録ページ初期画面
２０  ウェブページ管理部
２１  パスワード
２２  求人データベース
２３  会員ページ
２４  掲示板データベース
２５  募集内容の電子メール自動送信機能
２６  求人データベース登録済の閲覧端末から求仕事データベース内の登録データの検索
２７  求仕事データベース登録済の閲覧端末から求人データベース内の登録データの検索
２８  求人データベース登録済の閲覧端末から求仕事データベース登録データへの仕事後の評価部
２９  求仕事データベース登録済の閲覧端末から求人データベース登録データへの仕事後の評価部
３０  求仕事データベース
３１  パスワード
３２  求仕事データベース登録済の閲覧端末
３３  求人データベース登録済の閲覧端末
３４  募集地域データあるいは求人データベース登録済の閲覧端末の拠点地域データ
３５  募集職種データ
３６  募集日あるいは募集期間データ
３７  応募機能
３８  人材募集情報を掲示板データベースに登録する求人データベース登録済の閲覧端末の氏名データあるいは法人名データ
【図１】
2010033522.tif 000003
【図２】
2010033522.tif 000004
【図３】
2010033522.tif 000005
【図４】
2010033522.tif 000006
【図５】
2010033522.tif 000007